(57)【要約】【課題】  ディスクの回転によって発生するエンコーダのパルスを用いてディスク上にサーボデータを記録できるディスク記録装置を提供する。【解決手段】  データを保存するディスク１０と、ディスク１０を回転するためのモータ１００と、ディスク１０の回転によってパルスを発生するエンコーダ１１０と、エンコーダ１１０のパルスを用いて生成された基準クロック信号を出力する基準信号出力部１２０と、基準信号出力部１２０から提供された前記基準クロック信号に同期してディスク１０上にサーボデータを記録するサーボライター１３０とを含んでディスク記録装置を構成する。【選択図】      図１
2006054035.tif 000002
【特許請求の範囲】
【請求項１】
データを保存するディスクと、
前記ディスクを回転するためのモータと、
前記ディスクの回転によってパルスを発生するエンコーダと、
前記エンコーダのパルスを用いて生成された基準クロック信号を出力する基準信号出力部と、
前記基準信号出力部から提供された前記基準クロック信号に同期して前記ディスク上にサーボデータを記録するサーボライターとを含むことを特徴とするディスク記録装置。
【請求項２】
前記基準信号出力部は、前記エンコーダから出力するパルスの周波数を、基準クロック信号の周波数を示す信号に変換するための周波数変換部と、前記周波数変換部の信号を基準クロック信号に復元するための復元部とを含むことを特徴とする請求項１記載のディスク記録装置。
【請求項３】
前記周波数変換部は、前記エンコーダのパルスを所定の数に逓倍する逓倍部と、前記逓倍部によって逓倍されたパルスによって信号を生成するクロック周波数生成部とを含むことを特徴とする請求項２記載のディスク記録装置。
【請求項４】
前記復元部は、前記周波数変換部の信号と基準値とを比較してクロック信号を出力する比較部と、所定の電圧レベルを有する基準クロック信号を生成するために、前記比較部から出力するクロック信号の電圧レベルを所定の電圧レベルに変換する電圧レベル変換部とを含むことを特徴とする請求項２記載のディスク記録装置。
【請求項５】
前記基準信号出力部は、前記エンコーダのパルスを受けた後、前記ディスクの回転周期を示すインデックス信号を発生するインデックス信号発生部をさらに含むことを特徴とする請求項２記載のディスク記録装置。
【請求項６】
前記サーボライターは、前記インデックス信号発生部から提供されたインデックス信号および前記基準クロックを用いて、前記ディスクのスタートトラックからサーボライティングを行うことを特徴とする請求項５記載のディスク記録装置。
【請求項７】
前記エンコーダは、前記ディスクの１回転ごとに所定個数のパルスを発生することを特徴とする請求項１記載のディスク記録装置。
【請求項８】
前記エンコーダは、前記ディスクの回転速度に対応してパルスを発生することを特徴とする請求項１記載のディスク記録装置。
【請求項９】
前記基準信号出力部は、前記エンコーダのパルスによって前記ディスクの回転周期を示すインデックス信号を生成し、前記サーボライターは、基準クロック信号およびインデックス信号によって前記ディスク上にサーボデータを記録することを特徴とする請求項１記載のディスク記録装置。
【請求項１０】
前記基準信号出力部は、前記エンコーダのパルスを所定の数に逓倍して基準クロック信号の周波数を示す信号を生成し、この信号によって基準クロック信号を生成することを特徴とする請求項１記載のディスク記録装置。
【請求項１１】
前記基準信号出力部は、前記エンコーダのパルスの周波数を所定の数に逓倍して基準クロック信号の周波数を示す信号を生成し、この信号によって基準クロック信号を生成することを特徴とする請求項１記載のディスク記録装置。
【請求項１２】
パルスの周波数および基準クロック周波数は、相異なることを特徴とする請求項１１記載のディスク記録装置。
【請求項１３】
前記所定の数は、整数であることを特徴とする請求項１１記載のディスク記録装置。
【請求項１４】
前記基準信号出力部は、前記エンコーダのパルスによって可変的な基準クロック信号を出力することを特徴とする請求項１記載のディスク記録装置。
【請求項１５】
前記エンコーダのパルスは、前記ディスクの回転速度を示すことを特徴とする請求項１記載のディスク記録装置。
【請求項１６】
前記基準信号出力部は、前記エンコーダのパルスの第１周波数を、第２周波数を示す信号に変換し、その信号によって基準クロック信号を生成することを特徴とする請求項１記載のディスク装置。
【請求項１７】
前記基準信号出力部は、前記エンコーダのパルスの第１周波数を第２周波数に変換し、第２周波数に相応する基準クロック信号を生成することを特徴とする請求項１記載のディスク装置。
【請求項１８】
ハードディスクドライブに適用するディスクと、
前記ディスクを回転するためのモータと、
前記モータの速度に相応するパルスを発生するパルス発生部と、
前記パルス発生部のパルスにより設定された周波数の基準クロック信号および前記ディスクの回転周期に対応するインデックス信号を出力する基準信号出力部と、
前記基準信号出力部の基準クロック信号およびインデックス信号を用いて前記ディスクにサーボデータを記録するサーボライターとを含むことを特徴とするディスク記録装置。
【請求項１９】
前記パルス発生部は、前記ディスクの１回転ごとに所定個数のパルスを生成するエンコーダを含むことを特徴とする請求項１８記載のディスク記録装置。
【請求項２０】
ディスクを回転する段階と、
前記ディスクの回転によってパルスを生成する段階と、
生成されたパルス信号によって基準クロック信号を生成する段階と、
基準クロック信号に同期してディスク上にサーボデータを記録する段階とを含むことを特徴とするディスク上にサーボデータを記録する方法。
【請求項２１】
発生したパルス信号によって前記ディスクの回転周期を示すインデックス信号を生成する段階をさらに含み、
サーボデータを記録する段階は、基準クロック信号およびインデックス信号によってサーボデータを記録する段階を含むことを特徴とする請求項２０記載のディスク上にサーボデータを記録する方法。
【発明の詳細な説明】
【技術分野】
【０００１】
本発明は、ディスク記録装置に関するもので、詳しくは、エンコーダのパルスを用いてディスク上にサーボデータを記録するためのディスク記録装置に関するものである。
【背景技術】
【０００２】
ハードディスクドライブは、データを保存するディスクと、ディスクにデータを記録するか、ディスクに保存されたデータを読み取るヘッドと、を含む。
【０００３】
ディスク上に連続的にデータを記録するか、ディスクから連続的にデータを読み取るためには、ヘッドを目標トラックに移動し、その後、目標トラックを追従するためには、ディスク上に所定のサーボデータを記録すべきであるが、このサーボデータは、サーボライターによって記録される。
【０００４】
従来のサーボライターは、クロックヘッドモジュールから基準クロック信号およびインデックス信号を受けた後、ディスク上にサーボデータを記録するサーボライティング工程を行う。クロックヘッドモジュールは、読み取り/記録可能なクロックヘッドを含み、クロックヘッドによってディスクに基準クロックを記録してサーボライティングするとき、クロックヘッドから読み取った信号に対して信号処理を行った後、所定周波数の基準クロック信号およびディスクの回転周期を示すインデックス信号をサーボライターに提供する。
【０００５】
しかしながら、クロックヘッドモジュールには、信号処理を行うための多くの部品が備わるので、経済的負担が大きくなる。また、基準クロックを記録するか読み取るために、クロックヘッドをローディングしてディスクの近くに位置する過程で、クロックヘッドとディスクとが容易に接触してクロックヘッドの損傷を引き起こす。また、クロックヘッドの短い寿命によりクロックヘッドを頻繁に交換すべきであり、異物質によってクロックヘッドが汚染されると、クロックヘッドによりディスクに記録されたクロック信号が歪曲されるため、不良ディスクを製造することになる。
【発明の開示】
【発明が解決しようとする課題】
【０００６】
本発明は、上記の問題点を解決するためになされたもので、ディスクの回転によって発生するエンコーダのパルスを用いてディスク上にサーボデータを記録できるディスク記録装置を提供することを目的とする。
【課題を解決するための手段】
【０００７】
上記の目的を達成するために、本発明は、データを保存するディスクと、前記ディスクを回転するためのモータと、前記ディスクの回転によってパルスを発生するエンコーダと、前記エンコーダのパルスを用いて生成された基準クロック信号を出力する基準信号出力部と、前記基準信号出力部から提供された前記基準クロック信号に同期して前記ディスク上にサーボデータを記録するサーボライターとを含むことを特徴とする。
【０００８】
前記基準信号出力部は、前記エンコーダから出力するパルスの周波数を、基準クロック信号の周波数を示す信号に変換するための周波数変換部と、前記周波数変換部の信号を基準クロック信号に復元するための復元部とを含むことを特徴とする。
【０００９】
前記周波数変換部は、前記エンコーダのパルスを所定の数に逓倍する逓倍部と、前記逓倍部によって逓倍されたパルスによって信号を生成するクロック周波数生成部とを含むことを特徴とする。
【００１０】
前記復元部は、前記周波数変換部の信号と基準値とを比較してクロック信号を出力する比較部と、所定の電圧レベルを有する基準クロック信号を生成するために、前記比較部から出力するクロック信号の電圧レベルを所定の電圧レベルに変換する電圧レベル変換部とを含むことを特徴とする。
【００１１】
前記基準信号出力部は、前記エンコーダのパルスを受けた後、前記ディスクの回転周期を示すインデックス信号を発生するインデックス信号発生部をさらに含むことを特徴とする。
【００１２】
前記サーボライターは、前記インデックス信号発生部から提供されたインデックス信号および前記基準クロックを用いて、前記ディスクのスタートトラックからサーボライティングを行うことを特徴とする。
【００１３】
前記エンコーダは、前記ディスクの１回転ごとに所定個数のパルスを発生することを特徴とする。前記エンコーダは、前記ディスクの回転速度に対応してパルスを発生することを特徴とする。
【００１４】
上記の目的を達成するために、本発明は、ハードディスクドライブに適用するディスクと、前記ディスクを回転するためのモータと、前記モータの速度に相応するパルスを発生するパルス発生部と、前記パルス発生部のパルスにより設定された周波数の基準クロック信号および前記ディスクの回転周期に対応するインデックス信号を出力する基準信号出力部と、前記基準信号出力部の基準クロック信号およびインデックス信号を用いて前記ディスクにサーボデータを記録するサーボライターとを含むことを特徴とする。
【００１５】
前記パルス発生部は、前記ディスクの１回転ごとに所定個数のパルスを生成するエンコーダを含むことを特徴とする。
【発明の効果】
【００１６】
本発明のディスク記録装置は、モータの速度を検出するために用いるエンコーダパルスを受けた後、発生する基準クロックおよびインデックス信号をサーボライターに提供するので、製造原価を低下し、維持管理を容易にし、不良ディスク発生の抑制により製品生産性を向上できるという効果がある。
【発明を実施するための最良の形態】
【００１７】
以下、本発明の好ましい実施の形態を図面に基づいて説明する。
【００１８】
本発明によるディスク記録装置は、図１及び図２に示すように、ディスク１０上にサーボデータを記録するためのサーボライター１３０を含む。
【００１９】
複数個のディスク１０は、モータの回転軸１０１に設けられており、各ディスク１０は、所定の間隔を有して回転軸１０１に設置される。回転軸１０１は、ディスク１０を回転するために、スピンドルモータ１００(以下、モータという)によって駆動される。
【００２０】
ディスク１０の一側には、ディスク１０の回転に対応して所定のパルスを発生するエンコーダ１１０を設置する。このエンコーダ１１０は、モータ１００の回転によって、すなわち、ディスク１０の１回転ごとに所定個数のパルスを出力する。ここで、図３に示すように、ディスク１０の回転に対応してパルスを出力する。エンコーダ１１０のパルスは、後述する基準信号出力部１２０に印加されるとともに、モータ１００の駆動を制御するために、モータ制御部(図示せず)にも印加され、モータ制御部は、エンコーダ１１０のパルスに基づいてモータ１００の速度を制御する。
【００２１】
エンコーダ１１０とサーボライター１３０との間には、図３に示したインデックス信号および基準クロック信号を出力する基準信号出力部１２０を連結する。
【００２２】
基準信号出力部１２０は、エンコーダ１１０から出力するパルスの周波数を信号に変換するための周波数変換部１２１と、この周波数変換部１２１の信号を基準クロック信号に復元するための復元部１２４とを含む。
【００２３】
また、基準信号出力部１２０は、エンコーダ１１０のパルスを受けた後、ディスク１０の回転周期を示すインデックス信号を発生するインデックス信号発生部１２７をさらに含む。このインデックス信号発生部１２７は、図３に示すように、ディスク１０の１回転ごとにインデックス信号を出力する。このために、インデックス信号発生部１２７は、エンコーダ１１０のパルスをカウントすることで、ディスク１０の１回転に該当する所定値に到達する時ごとにインデックス信号を出力する。
【００２４】
周波数変換部１２１は、エンコーダ１１０のパルスを所定の数に逓倍する逓倍部１２２と、この逓倍部１２２によって逓倍されたパルスの周波数をサーボライター１３０に提供された基準クロック信号の周波数に変換することで、基準クロック信号の周波数を示す信号を生成するクロック周波数生成部１２３とを含む。
【００２５】
復元部１２４は、周波数変換部１２１の出力と基準値とを比較してクロック信号を出力する比較部１２５と、この比較部１２５から出力するクロック信号の電圧レベルを変換して基準クロック信号を出力する電圧レベル変換部１２６とを含む。
【００２６】
サーボライター１３０は、複数個のサーボライターヘッド１３１と、このサーボライターヘッド１３１を支持する複数個のサーボライターアーム１３２と、ディスク１０に対するサーボライターヘッド１３１の位置を調整するために、サーボライターアーム１３２に回動自在に結合されるポジショナー１３３とを含む。
【００２７】
サーボライター１３０は、基準信号出力部１２０から提供された基準クロック信号およびインデックス信号を用いて、ディスク１０のスタートトラック１２からサーボデータを記録するサーボライティングを行う。
【００２８】
複数個のサーボライターヘッド１３１は、複数個のディスク１０に対応して設けられており、各サーボライターヘッド１３１は、各ディスク１０上にサーボデータを記録する。サーボライターアーム１３２は、複数個のサーボライターヘッド３１を支持し、ポジショナー１３３に対して回動自在に設けられる。ポジショナー１３３は、サーボライターアーム１３２に回動自在に結合され、複数個のサーボライターヘッド１３１の位置を調整するためにサーボライターアーム１３２を所定角度だけ回動する。
【００２９】
以下、上記のように構成された本発明によるディスク記録装置の動作を説明する。
【００３０】
まず、複数個のディスク１０を回転軸１０１に設置し、モータ制御部(図示せず)の制御によってモータ１００を回転駆動する。回転軸１０１は、モータ１００の駆動により複数個のディスク１０を回転する。このとき、エンコーダ１１０は、ディスク１０の回転によってパルスを出力する。モータ制御部は、エンコーダ１１０のパルスに基づいてモータ１００の速度を計算することで、モータ１００の駆動を制御する。
【００３１】
エンコーダ１１０のパルスは、基準信号出力部１２０に入力される。この基準信号入力部１２０の逓倍部１２２は、エンコーダ１１０のパルスの周波数を所定の数に逓倍(例えば、４逓倍)することで、逓倍されたクロック信号を出力し、クロック周波数生成部１２３は、周波数逓倍されたクロックの周波数を所定の周波数に変換して生成する。ここで、所定の周波数は、サーボライター１３０に提供するための基準クロック信号の周波数として設定する。復元部１２４の比較部１２５は、クロック周波数生成部１２３によって生成された信号と所定値とを比較してクロック信号を出力し、よって、クロック周波数生成部１２３によって変換された信号がクロック信号として発生する。このとき、電圧レベル変換部１２６は、比較部１２５から出力するクロック信号の電圧レベルを所定の電圧レベル(例えば、５Ｖ)に変換し、この変換された基準クロック信号をサーボライター１３０に出力する。
【００３２】
また、インデックス信号発生部１２７は、ディスクの１回転ごとにインデックス信号をサーボライター１３０に出力する。
【００３３】
サーボライター１３０は、基準信号出力部１２０から提供された基準クロック信号およびインデックス信号を用いて、ディスク１０のスタートトラック１２からサーボデータを記録するサーボライティングを行う。
【図面の簡単な説明】
【００３４】
【図１】本発明によるディスク記録装置を示したブロック図である。
【図２】図１に示したディスク記録装置を示した斜視図である。
【図３】図１に示したディスク記録装置の各部の出力を示した図である。
【符号の説明】
【００３５】
１００  モータ
１１０  エンコーダ
１２０  基準信号出力部
１２１  周波数変換部
１２２  逓倍部
１２３  クロック周波数生成部
１２４  復元部
１２５  比較部
１２６  電圧レベル変換部
１２７  インデックス信号発生部
１３０  サーボライター
【図１】
2006054035.tif 000003
【図２】
2006054035.tif 000004
【図３】
2006054035.tif 000005